(57)【要約】【課題】従来のミラーユニットにおいて、緩衝部材は、ばねによって１つの偏心ピンに向けて付勢される。そして、緩衝部材は、自身の回動軸に対し、ばねの付勢位置より近い一箇所で偏心ピンと当接する。そのため、緩衝部材および偏心ピンが変形し易いという問題があった。【解決手段】ミラーユニットは、入射光束中に斜設される第１状態と、入射光束から退避する第２状態との間で回動するミラー部と、第１状態のミラー部を受ける受け部を有し、ミラー部の受け部への衝突に伴う衝撃を緩和する緩衝部と、緩衝部の異なる箇所に当接してミラー部を第１状態に位置決めする複数の位置決め部とを備える。【選択図】図３
2013137452.tif 000002
【特許請求の範囲】
【請求項１】
入射光束中に斜設される第１状態と、入射光束から退避する第２状態との間で回動するミラー部と、
前記第１状態の前記ミラー部を受ける受け部を有し、前記ミラー部の前記受け部への衝突に伴う衝撃を緩和する緩衝部と、
前記緩衝部の異なる箇所に当接して前記ミラー部を前記第１状態に位置決めする複数の位置決め部と
を備えるミラーユニット。
【請求項２】
前記緩衝部を前記複数の位置決め部へ向けて付勢する付勢部を備える請求項１に記載のミラーユニット。
【請求項３】
前記緩衝部は、回動軸を中心に前記付勢部の付勢方向と反対方向に回動して、前記衝撃を緩和する請求項２に記載のミラーユニット。
【請求項４】
前記複数の位置決め部は、第１位置決め部および第２位置決め部を有し、
前記第１位置決め部は、前記回動軸に対して、前記第２位置決め部より離れて配置されている請求項３に記載のミラーユニット。
【請求項５】
前記第１位置決め部は、前記回動軸に対して、前記付勢部が前記緩衝部を付勢する付勢位置より離れて配置されている請求項４に記載のミラーユニット。
【請求項６】
前記緩衝部および前記第１位置決め部の少なくとも一方が互いの当接により変形した後に、前記第１位置決め部と前記第２位置決め部は共に、前記緩衝部に当接する請求項４または５に記載のミラーユニット。
【請求項７】
前記第１位置決め部および前記第２位置決め部は、それぞれ偏心部であり、
前記第１位置決め部は、前記第２位置決め部より大きい偏心量を有する請求項４から６のいずれか１項に記載のミラーユニット。
【請求項８】
入射光束中に斜設される第１状態と、入射光束から退避する第２状態との間で回動するミラー部と、
前記第１状態の前記ミラー部を受ける受け部を有し、回動軸を中心に回動して前記ミラー部の前記受け部への衝突に伴う衝撃を緩和する緩衝部と、
前記緩衝部に当接して前記ミラー部を前記第１状態に位置決めする位置決め部と、
前記緩衝部を前記位置決め部へ向けて付勢する付勢部と
を備え、
前記位置決め部は、前記回動軸に対して、前記付勢部が前記緩衝部を付勢する付勢位置より離れて配置されているミラーユニット。
【請求項９】
請求項１から８のいずれか１項に記載のミラーユニットを備える撮像装置。
【発明の詳細な説明】
【技術分野】
【０００１】
本発明は、ミラーユニットおよび撮像装置に関する。
【背景技術】
【０００２】
ミラー部材が衝突したときの衝撃を回動して緩和するとともにミラー部材を予め定められた角度に位置決めする緩衝部材を備えたミラーユニットが知られている。
［先行技術文献］
［特許文献］
［特許文献１］特開平０７−０３６１０５号公報
【発明の概要】
【発明が解決しようとする課題】
【０００３】
上述のミラーユニットにおいて、緩衝部材は、ばねによって１つの偏心ピンに向けて付勢される。そして、緩衝部材は、自身の回動軸に対し、ばねの付勢位置より近い一箇所で偏心ピンと当接する。そのため、緩衝部材および偏心ピンが変形し易いという問題があった。
【課題を解決するための手段】
【０００４】
本発明の第１の態様におけるミラーユニットは、入射光束中に斜設される第１状態と、入射光束から退避する第２状態との間で回動するミラー部と、第１状態のミラー部を受ける受け部を有し、ミラー部の受け部への衝突に伴う衝撃を緩和する緩衝部と、緩衝部の異なる箇所に当接してミラー部を第１状態に位置決めする複数の位置決め部とを備える。
【０００５】
また、本発明の第２の態様におけるミラーユニットは、入射光束中に斜設される第１状態と、入射光束から退避する第２状態との間で回動するミラー部と、第１状態のミラー部を受ける受け部を有し、回動軸を中心に回動してミラー部の受け部への衝突に伴う衝撃を緩和する緩衝部と、緩衝部に当接してミラー部を第１状態に位置決めする位置決め部と、緩衝部を位置決め部へ向けて付勢する付勢部とを備え、位置決め部は、回動軸に対して、付勢部が緩衝部を付勢する付勢位置より離れて配置されている。
【０００６】
また、本発明の第３の態様における撮像装置は、上述のミラーユニットを備える。
【０００７】
上記の発明の概要は、本発明の必要な特徴の全てを列挙したものではない。これら特徴群のサブコンビネーションもまた発明となり得る。
【図面の簡単な説明】
【０００８】
【図１】一眼レフカメラの構造を模式的に示す断面図である。
【図２】ミラーユニットの第１の正面斜視図である。
【図３】ミラーユニットの第２の正面斜視図である。
【図４】ミラーユニットの背面斜視図である。
【図５】メインミラーが第１状態から第２状態へ回動する場合におけるミラーユニットの動作を説明する説明図である。
【図６】メインミラーが第２状態から第１状態へ回動する場合におけるミラーユニットの動作を説明する説明図である。
【発明を実施するための形態】
【０００９】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１０】
図１は、一眼レフカメラ１００の模式的断面図である。一眼レフカメラ１００は、レンズユニット２００およびカメラボディ３００を備える。カメラボディ３００には、焦点距離、開放Ｆ値等の異なる複数のレンズユニット２００が交換可能に装着される。レンズユニット２００は、その鏡筒内に、光軸１１０に沿って配列された光学系を備え、光軸１１０に沿って入射する被写体光束をカメラボディ３００の撮像素子３３０へ導く。図１に示すように、光軸１１０に平行な方向である前後方向をｚ軸方向とする。また、撮像素子３３０の長手方向と平行な方向である左右方向をｘ軸方向とし、ｚ軸およびｘ軸に直交する方向である上下方向をｙ軸方向とする。
【００１１】
レンズユニット２００は、固定筒２１０、複数のレンズ２２０、２３０、２４０、レンズマウント２５０およびレンズ側ＣＰＵ２６０を有する。固定筒２１０の一端は、レンズマウント２５０を介して、カメラボディ３００のボディマウント３６０に結合される。レンズマウント２５０およびボディマウント３６０の結合は、予め定められた操作により解除できる。
【００１２】
レンズユニット２００において、カメラボディ３００から遠くに位置するレンズ２２０は、固定筒２１０から直接に支持される。これに対して、他のレンズ２３０、２４０は、固定筒２１０対して光軸１１０方向に移動する。これにより、レンズユニット２００の光学系は変倍または合焦する。例えば、レンズ２３０は、レンズユニット２００の倍率を変化させる場合に移動するズームレンズのひとつとなる。また、レンズ２４０は、レンズユニット２００の焦点位置を変化させる場合に移動するフォーカシングレンズのひとつとなる。
【００１３】
レンズ側ＣＰＵ２６０は、レンズユニット２００における制御を司ると共に、カメラボディ３００との通信も担う。これにより、レンズユニット２００がカメラボディ３００に装着された場合に、カメラボディ３００と連携して動作する。レンズ側ＣＰＵ２６０は、レンズユニット２００における合焦、変倍、防振等の動作を制御する。また、レンズ側ＣＰＵ２６０は、カメラボディ３００のボディ側ＣＰＵ３２２と接続され、相互に通信を実行しつつ協働してレンズユニット２００とカメラボディ３００を制御する。また、防振ユニットを備えたレンズユニット２００では、レンズ側ＣＰＵ２６０は、振動を打ち消すレンズの移動方向および移動量を算出してアクチュエータを制御する。
【００１４】
カメラボディ３００は、レンズマウント２５０に結合されるボディマウント３６０の後方にミラーユニット４００を備える。ミラーユニット４００の下方には合焦光学系３８０が、ミラーユニット４００の上方にはピント板３５２が、それぞれ配される。ピント板３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。また、ファインダ光学系３５６の近傍に測光センサ３９０が配される。
【００１５】
ミラーユニット４００の後方には、シャッタ３７０、光学フィルタ３３２、撮像素子３３０、ボディ基板３２０および背面表示部３４０が順次配される。液晶表示板等により形成される背面表示部３４０は、カメラボディ３００の背面に現れる。ボディ基板３２０には、ボディ側ＣＰＵ３２２、画像処理回路３２４等の電子回路が実装される。
【００１６】
ミラーユニット４００は、メインミラー４１０およびサブミラー４４０を内包するミラーボックス４０２を有する。メインミラー４１０は、メインミラー保持枠４２０に支持される。メインミラー保持枠４２０は、ｘ軸方向と平行なメインミラー回動軸４３０によりミラーボックス４０２から軸支される。サブミラー４４０は、ｘ軸方向と平行なサブミラー回動軸４６０によりメインミラー保持枠４２０から軸支されたサブミラー保持枠４５０に支持される。よって、サブミラー保持枠４５０は、メインミラー保持枠４２０に対して回動する。また、メインミラー保持枠４２０が回動した場合、サブミラー保持枠４５０もメインミラー保持枠４２０と共に変位する。
【００１７】
回動によりメインミラー保持枠４２０の前端が下降して停止した場合、メインミラー４１０は、レンズユニット２００から入射した入射光束中に斜設される第１状態となる。メインミラー保持枠４２０の前端が上昇して停止した場合、メインミラー４１０は、入射光束から退避する第２状態となる。本実施形態において、メインミラー４１０およびメインミラー保持枠４２０は、入射光束中に斜設される第１状態と、入射光束から退避する第２状態との間で回動するミラー部の少なくとも一部として機能する。
【００１８】
メインミラー４１０が第１状態にある場合、レンズユニット２００を通じて入射した入射光束の多くはメインミラー４１０に反射されてピント板３５２に導かれる。ピント板３５２は、撮像素子３３０の撮像面と共役な位置に配されて、レンズユニット２００の光学系が形成した像を可視化する。
【００１９】
ピント板３５２に形成された像は、ペンタプリズム３５４およびファインダ光学系３５６を通じてファインダ３５０から観察される。ファインダ３５０から観察される像は、ペンタプリズム３５４を通したことにより正立正像として観察される。また、ピント板３５２からファインダ３５０に向かう光束の一部は、測光センサ３９０に向かって分岐される。測光センサ３９０は、受光した光束から被写体輝度を検出し、検出結果をボディ側ＣＰＵ３２２へ出力する。これにより、ボディ側ＣＰＵ３２２は、撮影する場合の露出条件を算出する。
【００２０】
メインミラー４１０は、入射光束の一部を透過するハーフミラー領域を有する。よって、第１状態にあるメインミラー４１０に入射した光束の一部は、ハーフミラー領域を透過ししサブミラー４４０に入射する。サブミラー４４０は、ハーフミラー領域から入射した入射光束の一部を、合焦光学系３８０に向かって反射する。合焦光学系３８０は、入射した入射光束の一部を焦点検出センサ３８２に導く。焦点検出センサ３８２は、検出結果をボディ側ＣＰＵ３２２へ出力する。これにより、ボディ側ＣＰＵ３２２は、レンズユニット２００の光学系を合焦させる場合に移動するレンズの目標位置を決定する。
【００２１】
上記のような一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー４１０およびサブミラー４４０が退避位置に移動して第２状態となり、シャッタ３７０が開く。そして、レンズユニット２００から入射した入射光束は、光学フィルタ３３２を通過して、撮像素子３３０の受光面上に結像する。
【００２２】
撮像素子３３０は、光学系を透過して入射する被写体像である光学像を光電変換する素子であり、例えば、ＣＣＤ、ＣＭＯＳセンサが用いられる。撮像素子３３０で光電変換された被写体像は、画像処理回路３２４でアナログ信号からデジタル信号に変換される。デジタル信号に変換された被写体像は、画像データとして順次処理される。画像処理回路３２４は、ユーザが選択した撮影モード等に従って、画像データをＪＰＥＧファイル等の規格化された画像フォーマットの画像データに変換する。画像処理回路３２４によって処理された画像データは、フラッシュメモリ等のカメラボディ３００に対して着脱可能な記録媒体に記録される。
【００２３】
一眼レフカメラ１００は、上述の画像処理における各々の要素も含めて、ボディ側ＣＰＵ３２２により直接的または間接的に制御される。ボディ側ＣＰＵ３２２内のシステムメモリは、電気的に消去・記録可能な不揮発性メモリであり、例えばＥＥＰＲＯＭ（登録商標）等により構成される。システムメモリは、一眼レフカメラ１００の動作時に必要な定数、変数、プログラム等を、一眼レフカメラ１００の非動作時にも失われないように記録している。
【００２４】
図２は、ミラーユニット４００の第１の正面斜視図である。なお、図２以降の図においてミラーボックス４０２を省略する。ミラーユニット４００は、各種部材を取り付けるためのミラー基板４７０を有する。ミラー基板４７０は、ｘ軸方向においてメインミラー４１０を挟んで対向する、ミラーボックス４０２の一対の側壁の一方に固定される。ミラー基板４７０には、メインミラー回動軸４３０の第１回動軸４３２が回動可能に支持される。一方、ミラーボックス４０２の一対の側壁の他方には、メインミラー回動軸４３０の第２回動軸４３４が回動可能に支持される。
【００２５】
第１回動軸４３２および第２回動軸４３４は、ｘ軸方向においてメインミラー４１０を挟んで対向する、メインミラー保持枠４２０の一対の側板にそれぞれ固定されている。したがって、メインミラー４１０およびメインミラー保持枠４２０は、ミラーボックス４０２に対して回動可能に支持される。
【００２６】
ミラー基板４７０には、メインミラー保持枠４２０を受ける受け部としての受けピン４８２を有する緩衝部材４８０が設けられている。緩衝部材４８０は、後述するように、メインミラー保持枠４２０の受けピン４８２への衝突に伴う衝撃を緩和する緩衝部の少なくとも一部である。また、緩衝部材４８０は、ミラー基板４７０に支持される緩衝回動軸４８４を有する。なお、緩衝部材４８０、受けピン４８２および緩衝回動軸４８４は一体に形成されている。そして、緩衝部材４８０および受けピン４８２は、緩衝回動軸４８４を中心に、ミラー基板４７０に対して回動可能に支持される。
【００２７】
緩衝回動軸４８４の外周には、緩衝ばね４９０が設けられている。緩衝ばね４９０の一端は緩衝部材４８０の爪部４８６に係合し、他端は緩衝部材４８０と接触する制動部材４９２に係合する。緩衝ばね４９０および制動部材４９２の機能については後述する。
【００２８】
図３は、ミラーユニット４００の第２の正面斜視図である。ミラー基板４７０のメインミラー４１０側には、第１偏心ピン５００および第２偏心ピン５０２が設けられている。第１偏心ピン５００は、緩衝回動軸４８４に対して、第２偏心ピン５０２より離れて配置されている。緩衝ばね４９０は、緩衝回動軸４８４に対して、ｘ軸正方向から見て時計回りの方向に爪部４８６を付勢する。この緩衝ばね４９０の付勢力により、緩衝部材４８０は、第１偏心ピン５００および第２偏心ピン５０２と当接する。
【００２９】
第１偏心ピン５００および第２偏心ピン５０２は、ほぼ同時に緩衝部材４８０に当接するように位置調整されている。なお、第１偏心ピン５００による調整量と第２偏心ピン５０２による調整量が同等となるように、第１偏心ピン５００は、第２偏心ピン５０２より大きい偏心量を有する。
【００３０】
緩衝部材４８０が第１偏心ピン５００および第２偏心ピン５０２と当接することにより、受けピン４８２は予め定められた箇所に位置決めされる。そのため、入射光束中に斜設される第１状態のメインミラー４１０は、ｙ軸に垂直な平面に対し、予め定められた角度、例えば４５度傾いて位置決めされる。第１状態のメインミラー４１０の傾斜角度は、第１偏心ピン５００および第２偏心ピン５０２の回転軸が例えば六角レンチを用いて回転されることにより微調整される。本実施形態において、第１偏心ピン５００および第２偏心ピン５０２のそれぞれは、緩衝部材４８０に当接してメインミラー４１０を第１状態に位置決めする位置決め部としての役割を担う。また、緩衝ばね４９０は、緩衝部材４８０を第１偏心ピン５００および第２偏心ピン５０２へ向けて付勢する付勢部の役割を担う。
【００３１】
図３に示すように、サブミラー４４０を支持するサブミラー保持枠４５０は、メインミラー保持枠４２０の側板に設けられたサブミラー回動軸４６０に回動可能に支持される。メインミラー４１０に対してミラー基板４７０と反対側には、サブミラー４４０およびサブミラー保持枠４５０をメインミラー保持枠４２０に対して回動させるためのトグルばね５１０が設けられている。トグルばね５１０の一端はサブミラー保持枠４５０に係合し、他端はメインミラー保持枠４２０に係合する。
【００３２】
図４は、ミラーユニット４００の背面斜視図である。メインミラー回動軸４３０の第１回動軸４３２の外周には、メインミラー４１０を降下させるための駆動ばね５２０が設けられている。駆動ばね５２０の一端はメインミラー保持枠４２０に係合し、他端はミラー基板４７０に係合する。駆動ばね５２０は、ｘ軸正方向から見て時計回りにメインミラー保持枠４２０を回動させる方向に、メインミラー保持枠４２０を付勢する。
【００３３】
一方、メインミラー回動軸４３０の第２回動軸４３４側のメインミラー保持枠４２０の側板には、メインミラー４１０を上昇させる駆動力をミラーアップレバーから受け付けるミラーアップピン４２２が設けられている。ミラーアップピン４２２は、ミラーボックス４０２の外側に露出された露出部を有し、当該露出部でミラーボックス４０２の外側に配置されたミラー駆動機構のミラーアップレバーと当接する。
【００３４】
ミラー基板４７０のメインミラー４１０側には、サブミラー位置決め板５３０と偏心ピン５３２が設けられている。サブミラー位置決め板５３０は、ミラー基板４７０に対して回動可能に支持されるとともに、ミラー基板４７０に配置されたばねにより偏心ピン５３２に向けて付勢されている。偏心ピン５３２は、サブミラー位置決め板５３０と当接してサブミラー位置決め板５３０を位置決めする。
【００３５】
サブミラー位置決め板５３０には、サブミラー保持枠４５０の基板側の側板に形成されたＵ字部４５２と当接してサブミラー４４０を位置決めするためのキャッチピン５３４が固定されている。Ｕ字部４５２がキャッチピン５３４と当接することにより、サブミラー４４０は、メインミラー４１０を透過した入射光束を合焦光学系３８０へ反射するように、ｙ軸に垂直な平面に対して予め定められた角度だけ傾いて位置決めされる。サブミラー４４０の傾斜角度は、偏心ピン５３２の回転軸が回転されることにより微調整される。
【００３６】
図５は、メインミラー４１０が第１状態から第２状態へ回動する場合におけるミラーユニット４００の動作を説明する説明図である。図５（ａ）は、メインミラー４１０が第１状態に位置決めされた場合におけるミラーユニット４００の側面図である。上述したように、緩衝ばね４９０の付勢力により緩衝部材４８０が第１偏心ピン５００および第２偏心ピン５０２と当接して、受けピン４８２は位置決めされる。そして、メインミラー保持枠４２０が受けピン４８２に当接して、メインミラー４１０は位置決めされる。また、サブミラー保持枠４５０のＵ字部４５２がキャッチピン５３４と当接して、サブミラー４４０は位置決めされる。
【００３７】
ミラー駆動機構は、ボディ側ＣＰＵ３２２からミラーアップ指示を受け付けるとミラーアップレバーを駆動する。ミラーアップレバーがメインミラー保持枠４２０のミラーアップピン４２２を上方へ駆動すると、メインミラー保持枠４２０は、ミラー基板４７０に対し、メインミラー回動軸４３０を中心に、ｘ軸正方向から見て反時計回りに回動する。メインミラー保持枠４２０の回動により、サブミラー保持枠４５０のＵ字部４５２は、キャッチピン５３４から離れる。メインミラー保持枠４２０が予め定められた位置より上昇すると、サブミラー保持枠４５０を付勢するトグルばね５１０の付勢方向が切り替わる。そして、サブミラー保持枠４５０は、メインミラー保持枠４２０に対し、サブミラー回動軸４６０を中心に、ｘ軸正方向からみて反時計回りに回動する。
【００３８】
ミラー駆動機構がミラーアップレバーを予め定められた位置で停止させると、メインミラー４１０は、入射光束から退避する第２状態に位置決めされる。図５（ｂ）は、メインミラー４１０が第２状態に位置決めされた場合におけるミラーユニット４００の側面図である。サブミラー保持枠４５０は、トグルばね５１０の付勢力により、メインミラー保持枠４２０に沿って配置される。したがって、サブミラー４４０も、メインミラー４１０とともに入射光束から退避する。なお、緩衝部材４８０は、メインミラー４１０が第２状態に位置決めされた場合においても、緩衝ばね４９０の付勢力により第１偏心ピン５００および第２偏心ピン５０２と当接する。
【００３９】
図６は、メインミラー４１０が第２状態から第１状態へ回動する場合におけるミラーユニット４００の動作を説明する説明図である。図６（ａ）は、メインミラー４１０が第２状態に位置決めされた場合におけるミラーユニット４００の側面図であり、上述した図５（ｂ）と同様である。ミラー駆動機構は、ボディ側ＣＰＵ３２２からミラーダウン指示を受け付けると、ミラーアップレバーを駆動してミラーアップピン４２２の支持を解除する。ミラーアップピン４２２の支持が解除されると、メインミラー保持枠４２０は、図４を用いて説明した駆動ばね５２０の付勢力により駆動する。そして、メインミラー保持枠４２０は、ミラー基板４７０に対し、メインミラー回動軸４３０を中心に、ｘ軸正方向から見て時計回りに回動する。
【００４０】
メインミラー保持枠４２０が予め定められた位置より下降すると、サブミラー保持枠４５０を付勢するトグルばね５１０の付勢方向が切り替わる。そして、サブミラー保持枠４５０は、メインミラー保持枠４２０に対し、サブミラー回動軸４６０を中心に、ｘ軸正方向からみて時計回りに回動し、サブミラー保持枠４５０のＵ字部４５２は、キャッチピン５３４と係合する。
【００４１】
図６（ｂ）は、メインミラー保持枠４２０が受けピン４８２と衝突した直後におけるミラーユニット４００の側面図である。本実施形態において、緩衝部材４８０の慣性モーメントは、メインミラー４１０、メインミラー保持枠４２０、サブミラー４４０、サブミラー保持枠４５０等のミラー側の系の慣性モーメントとほぼ同じに調整されている。そのため、メインミラー保持枠４２０は、受けピン４８２と衝突すると、受けピン４８２を介して緩衝部材４８０へ運動エネルギーを受け渡し、バウンドまたは振動をほとんど生じることなく停止する。一方、緩衝部材４８０は、メインミラー保持枠４２０が受けピン４８２に衝突する衝撃力によって、ミラー基板４７０に対し、緩衝回動軸４８４を中心に、ｘ軸正方向から見て反時計回りに回動する。そして、緩衝部材４８０は、第１偏心ピン５００および第２偏心ピン５０２から離れる。
【００４２】
この衝突によって緩衝部材４８０が得た運動エネルギーは、緩衝ばね４９０の歪エネルギーとして蓄えられるとともに、緩衝部材４８０と制動部材４９２との摩擦によって減少する。やがて、緩衝部材４８０は、ｘ軸正方向から見て反時計回りの回動を停止する。緩衝部材４８０は、今度は緩衝ばね４９０の付勢力により、ミラー基板４７０に対し、緩衝回動軸４８４を中心に、ｘ軸正方向から見て時計回りの回動を開始する。
【００４３】
緩衝部材４８０の受けピン４８２がメインミラー保持枠４２０と当接すると、緩衝部材４８０は、第１偏心ピン５００および第２偏心ピン５０２と当接し、ｘ軸正方向から見て時計回りの回動を停止する。その結果、メインミラー４１０は、入射光束中に斜設される第１状態に位置決めされる。
【００４４】
図６（ｃ）は、メインミラー４１０が第１状態に位置決めされた場合におけるミラーユニット４００の側面図であり、上述した図５（ａ）と同様である。このように緩衝部材４８０が２つの偏心ピンと異なる箇所で当接することにより、偏心ピンが１つの場合に比べ、緩衝部材４８０および偏心ピンの変形を抑え、第１状態のメインミラー４１０の位置決め精度の低下を抑えることができる。
【００４５】
また、第１偏心ピン５００は、緩衝回動軸４８４に対して、緩衝ばね４９０の付勢位置である爪部４８６より離れて配置されている。したがって、緩衝部材４８０との当接によって第１偏心ピン５００に加えられる力が緩衝ばね４９０の付勢力より小さくなり、緩衝部材４８０と第１偏心ピン５００との当接による変形量を抑えることができる。
【００４６】
上述の実施形態では、第１偏心ピン５００および第２偏心ピン５０２は、ほぼ同時に緩衝部材４８０に当接するように位置調整されたが、これに限らない。緩衝部材４８０および第１偏心ピン５００の少なくとも一方が互いの当接により変形した後に、第１偏心ピン５００と第２偏心ピンが共に緩衝部材４８０に当接するように構成してもよい。
【００４７】
具体的には、ミラーユニット４００の製造段階において、まず、メインミラー４１０が第１状態に位置決めされるように、第１偏心ピン５００が調整される。一方、第２偏心ピン５０２は、緩衝部材４８０から離れて配置される。ここで、緩衝部材４８０と第２偏心ピン５０２との距離は、緩衝部材４８０および第１偏心ピン５００の少なくとも一方の変形を考慮して予め定められる。例えば、当該変形により緩衝部材４８０が初期位置から予め定められた量ずれると第２偏心ピン５０２に当接するように、緩衝部材４８０と第２偏心ピン５０２との距離が実験またはシミュレーションにより定められる。
【００４８】
この構成によれば、一眼レフカメラ１００の使用によって緩衝部材４８０と第１偏心ピン５００との当接個所がある程度変形した後には、第２偏心ピン５０２により当該当接個所の変形が抑えられる。また、製造段階において、第１状態のメインミラー４１０の傾斜角度を１つの偏心ピンで容易に調整することができる。
【００４９】
上述の実施形態では、位置決め部として２つの偏心ピンが用いられたが、３つ以上の位置決め部が用いられてもよい。また、緩衝部材４８０の回動軸に対して、緩衝ばね４９０が緩衝部材４８０を付勢する付勢位置より離れて配置された１つの位置決め部だけが用いられてもよい。具体的には、上述の実施形態に係るミラーユニット４００において、第２偏心ピン５０２を取り除いて、緩衝部材４８０が第１偏心ピン５００と当接するように構成する。この構成によれば、緩衝部材４８０が自身の回動軸に対し緩衝ばね４９０の付勢位置より近い１つの偏心ピンと当接する構成に比べ、緩衝部材４８０および偏心ピンの変形を抑え、第１状態のメインミラー４１０の位置決め精度の低下を抑えることができる。
【００５０】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００５１】
１００  一眼レフカメラ、１１０  光軸、２００  レンズユニット、２１０  固定筒、２２０、２３０、２４０  レンズ、２５０  レンズマウント、２６０  レンズ側ＣＰＵ、３００  カメラボディ、３２０  ボディ基板、３２２  ボディ側ＣＰＵ、３２４  画像処理回路、３３０  撮像素子、３３２  光学フィルタ、３４０  背面表示部、３５０  ファインダ、３５２  ピント板、３５４  ペンタプリズム、３５６  ファインダ光学系、３６０  ボディマウント、３７０  シャッタ、３８０  合焦光学系、３８２  焦点検出センサ、３９０  測光センサ、４００  ミラーユニット、４０２  ミラーボックス、４１０  メインミラー、４２０  メインミラー保持枠、４２２  ミラーアップピン、４３０  メインミラー回動軸、４３２  第１回動軸、４３４  第２回動軸、４４０  サブミラー、４５０  サブミラー保持枠、４５２  Ｕ字部、４６０  サブミラー回動軸、４７０  ミラー基板、４８０  緩衝部材、４８２  受けピン、４８４  緩衝回動軸、４８６  爪部、４９０  緩衝ばね、４９２  制動部材、５００  第１偏心ピン、５０２  第２偏心ピン、５１０  トグルばね、５２０  駆動ばね、５３０  サブミラー位置決め板、５３２  偏心ピン、５３４  キャッチピン
【図１】
2013137452.tif 000003
【図２】
2013137452.tif 000004
【図３】
2013137452.tif 000005
【図４】
2013137452.tif 000006
【図５】
2013137452.tif 000007
【図６】
2013137452.tif 000008